(57)【要約】  【課題】  利用者が意識することなく、自動的に所望の楽曲を簡単かつ確実に記録することができる録音装置を提供する。  【解決手段】  本発明に係る録音装置は、ＣＰＵで構成された制御部１０を備えている。制御部１０は、放送された音声信号を記録する仮記録部１２ａと、印象度を受け付ける印象度指定部１４ａと、仮記録部１２ａに記録されている音声信号の特徴を抽出して特徴量に変換し、特徴量に基づいて楽曲の印象度を判断する印象分析部１５と、印象分析部１５にて分析された楽曲の印象度が、印象度指定部１４ａにて受け付けた印象度と一致するか否かを判定する判定部１６などと接続され、両方の印象度が一致すると判定された場合に、仮記録部１２ａに記録した音声信号から対応する楽曲を抽出し、抽出した楽曲を本記録部１２ｂに記録する。【選択図】        図１
2006331554.tif 000002
【特許請求の範囲】
【請求項１】
楽曲を含む放送音声を受信し、受信した放送音声から所望の楽曲を記録部に記録する録音装置において、
放送音声を前記記録部に仮記録する仮記録手段と、
放送音声に含まれる楽曲の印象度を分析する印象分析手段と、
印象度を受け付ける印象度受付手段と、
前記印象分析手段にて分析した印象度が、前記印象度受付手段にて受け付けた印象度と一致するか否かを判定する判定手段と、
両方の印象度が一致すると判定された場合に、仮記録した放送音声から対応する楽曲を抽出する抽出手段と、
抽出した楽曲を前記記録部に本記録する本記録手段と
を備えることを特徴とする録音装置。
【請求項２】
仮記録より先に記録されている楽曲の印象度を分析する分析手段と、
該分析手段によって分析された印象度に基づいて、仮記録した放送音声から抽出する楽曲の印象度を指定する指定手段とを備え、
前記判定手段は、前記分析手段にて分析した印象度が、前記指定手段にて指定された印象度と一致するか否かを判定するようにしてあること
を特徴とする請求項１に記載の録音装置。
【請求項３】
楽曲を含む放送音声を受信し、受信した放送音声から所望の楽曲を記録部に記録する録音装置において、
放送音声を前記記録部に仮記録する仮記録手段と、
仮記録した放送音声に含まれる楽曲の印象度を分析する印象分析手段と、
前記記録部に仮記録より先に記録されている楽曲の印象度を分析する分析手段と、
該分析手段によって分析された印象度に基づいて、仮記録した放送音声から抽出する楽曲の印象度を指定する指定手段と、
前記印象分析手段にて分析した印象度が、前記指定手段にて指定された印象度と一致するか否かを判定する判定手段と、
両方の印象度が一致すると判定された場合に、仮記録した放送音声から対応する楽曲を抽出する抽出手段と、
抽出した楽曲を前記記録部に本記録する本記録手段と
を備えることを特徴とする録音装置。
【請求項４】
前記印象分析手段は、仮記録した放送音声に対して所定時間毎に印象度を分析するようにしてあること
を特徴とする請求項１乃至請求項３のいずれか１つに記載の録音装置。
【請求項５】
前記仮記録手段は、放送音声を時刻に関連付けて仮記録するようにしてあり、
楽曲が放送された時刻を含む楽曲を識別するための識別情報を通信網から取得する情報取得手段を備え、
前記抽出手段は、前記識別情報に基づいて印象度が一致すると判定した時刻に放送された楽曲を抽出するようにしてあること
を特徴とする請求項１乃至請求項４のいずれか１つに記載の録音装置。
【請求項６】
放送音声には該放送音声に含まれる楽曲を識別するための識別情報が重畳されており、
前記放送音声から前記識別情報を抽出する情報抽出手段を備え、
前記抽出手段は、前記識別情報に基づいて印象度が一致すると判定した楽曲を抽出するようにしてあること
を特徴とする請求項１乃至請求項４のいずれか１つに記載の録音装置。
【請求項７】
前記抽出手段は、印象度が一致すると判定した時点から、印象度が一致しないと判定する時点までの放送音声を楽曲として抽出するようにしてあること
を特徴とする請求項１乃至請求項４のいずれか１つに記載の録音装置。
【請求項８】
前記抽出手段は、印象度が一致すると判定した時点から、所定時間が経過した時点までの放送音声を楽曲として抽出するようにしてあること
を特徴とする請求項１乃至請求項４のいずれか１つに記載の録音装置。
【請求項９】
前記抽出手段は、印象度が一致すると判定した時点から、所定時間経過後に無音状態が一定時間継続した時点までの放送音声を楽曲として抽出するようにしてあること
を特徴とする請求項１乃至請求項４のいずれか１つに記載の録音装置。
【発明の詳細な説明】
【技術分野】
【０００１】
本発明は、利用者が意識することなく、楽曲を含む放送音声（音声信号）から所望の楽曲を自動的に記録することができる録音装置に関する。
【背景技術】
【０００２】
ラジオ番組で放送された音声信号を記録し、記録した音声信号を編集して、残したい部分の音声（例えば楽曲）を自分のライブラリーにするエアチェック方法が、広く一般的に行われている。このようなエアチェック方法は、ディジタルオーディオが普及した近年においても、自分の知らない楽曲を見つけ出したり、発売前の楽曲をいち早く記録したい場合に有効である。
【０００３】
特許文献１には、入力したデータをその記録の前にメモリに格納しておき、遡及読出しの操作があったときにそのタイミングより所定時間遡ってメモリからデータを読み出して再生出力し、記録開始の操作があったときにメモリから読み出しているデータを記録媒体に記録するように構成してあるデジタル記録装置が開示されている。このようなデジタル記録装置によれば、ラジオ放送などからリアルタイムに流れてくる内容について記録を希望するものが見つかったときに、一時的にメモリに格納していたその内容を先頭部分を含めて遡って再生出力させ、利用者としてはどのタイミングで記録を実行すればよいかを再度確認できるので、余裕をもって正しいタイミングを割り出すことができて、記録媒体において記録を希望する内容をちょうどその先頭部分から記録することができる。
【特許文献１】特開２０００−２０７８３８号公報
【発明の開示】
【発明が解決しようとする課題】
【０００４】
しかしながら、エアチェックを行う場合、特許文献１に開示されている技術では、どのような楽曲が放送されているかを利用者自身が判断しなければならない。したがって、利用者は常に放送を聴いている必要があり、極めて不便であるという問題があった。また、録音装置に設けられているタイマー機能を利用して、番組をまとめて記録することができるが、記録を行おうとした楽曲（例えば自分好みの楽曲）が記録媒体のどの領域に記録されているかがわからないので、サーチ機能を利用して楽曲を探す必要があった。
【０００５】
本発明は斯かる事情に鑑みてなされたものであり、利用者が意識することなく、自動的に所望の楽曲（例えば、利用者が指定した印象と一致する楽曲、内部に格納されている楽曲の印象と一致する楽曲）を簡単かつ確実に記録することができる録音装置の提供を目的とする。
【課題を解決するための手段】
【０００６】
本発明に係る録音装置は、楽曲を含む放送音声を受信し、受信した放送音声から所望の楽曲を記録部に記録する録音装置において、放送音声を前記記録部に仮記録する仮記録手段と、放送音声に含まれる楽曲の印象度を分析する印象分析手段と、印象度を受け付ける印象度受付手段と、前記印象分析手段にて分析した印象度が、前記印象度受付手段にて受け付けた印象度と一致するか否かを判定する判定手段と、両方の印象度が一致すると判定された場合に、仮記録した放送音声から対応する楽曲を抽出する抽出手段と、抽出した楽曲を前記記録部に本記録する本記録手段とを備えることを特徴とする。
【０００７】
本発明にあっては、先ず、楽曲を含む放送音声を受信し、受信した放送音声を記録部に仮記録しておく。次に、放送音声に含まれる楽曲の印象度を分析するとともに、印象度を受け付け、分析した印象度が、受け付けた印象度と一致するか否かを判定する。そして、両方の印象度が一致すると判定された場合、仮記録した放送音声から対応する楽曲を抽出し、抽出した楽曲を記録部に本記録する。これにより、利用者が意識することなく、自動的に所望の楽曲（利用者が指定した印象と一致する楽曲）を簡単かつ確実に記録することができる。つまり、利用者は、記録したい楽曲の印象度を指定するだけでよく、常に放送を聴いている必要はない。
【０００８】
本発明に係る録音装置は、仮記録より先に記録されている楽曲の印象度を分析する分析手段と、該分析手段によって分析された印象度に基づいて、仮記録した放送音声から抽出する楽曲の印象度を指定する指定手段とを備え、前記判定手段は、前記分析手段にて分析した印象度が、前記指定手段にて指定された印象度と一致するか否かを判定するようにしてあることを特徴とする。
【０００９】
本発明にあっては、仮記録より先に記録されている楽曲の印象度を分析し、分析した印象度に基づいて、抽出する楽曲の印象度を決定する。仮記録より先に記録されている楽曲は利用者の好みの楽曲であると推定されることから、仮記録より先に記録されている楽曲の印象度を分析することによって、利用者の好みの楽曲を簡単かつ確実に記録することができる。この場合、利用者は記録したい楽曲の印象度を指定する必要がなくなる。
【００１０】
本発明に係る録音装置は、楽曲を含む放送音声を受信し、受信した放送音声から所望の楽曲を記録部に記録する録音装置において、放送音声を前記記録部に仮記録する仮記録手段と、仮記録した放送音声に含まれる楽曲の印象度を分析する印象分析手段と、前記記録部に仮記録より先に記録されている楽曲の印象度を分析する分析手段と、該分析手段によって分析された印象度に基づいて、仮記録した放送音声から抽出する楽曲の印象度を指定する指定手段と、前記印象分析手段にて分析した印象度が、前記指定手段にて指定された印象度と一致するか否かを判定する判定手段と、両方の印象度が一致すると判定された場合に、仮記録した放送音声から対応する楽曲を抽出する抽出手段と、抽出した楽曲を前記記録部に本記録する本記録手段とを備えることを特徴とする。
【００１１】
本発明にあっては、先ず、楽曲を含む放送音声を受信し、受信した放送音声を記録部に仮記録しておく。次に、仮記録した放送音声に含まれる楽曲の印象度と、記録部に仮記録より先に記録されている楽曲の印象度とを分析する。そして、分析した両方の印象度が一致するか否かを判定し、両方の印象度が一致すると判定された場合、仮記録した放送音声から対応する楽曲を抽出し、抽出した楽曲を記録部に本記録する。これにより、利用者が意識することなく、自動的に所望の楽曲（内部に格納されている楽曲の印象と一致する楽曲）を簡単かつ確実に記録することができる。つまり、利用者は、記録したい楽曲の印象度を指定するだけでよく、常に放送を聴いている必要はない。
【００１２】
本発明に係る録音装置は、前記印象分析手段は、仮記録した放送音声に対して所定時間毎に印象度を分析するようにしてあることを特徴とする。
【００１３】
本発明にあっては、仮記録した放送音声に対して所定時間毎に印象度を分析する。印象度のみによって、放送された音声から所望の楽曲を抽出して記録することができる。
【００１４】
本発明に係る録音装置は、前記仮記録手段は、放送音声を時刻に関連付けて仮記録するようにしてあり、楽曲が放送された時刻を含む楽曲を識別するための識別情報を通信網から取得する情報取得手段を備え、前記抽出手段は、前記識別情報に基づいて印象度が一致すると判定した時刻に放送された楽曲を抽出するようにしてあることを特徴とする。
【００１５】
本発明にあっては、楽曲が放送された時刻が楽曲を識別するための識別情報を通信網から取得する。そして、取得した識別情報に基づいて印象度が一致すると判定した時刻に放送された楽曲を抽出する。この場合、放送音声を時刻に関連付けて仮記録するようにしておくことで、時刻を参照して印象度が一致する楽曲の全てを簡単かつ確実に抽出することができる。つまり、識別情報に含まれる時刻を区切り情報として楽曲を抽出することで、楽曲単位での抽出が可能である。例えば、楽曲の印象度が一定でなく、途中で印象度が変化する場合が考えられるが、このような場合であっても、確実に楽曲単位で抽出することができる。
【００１６】
本発明に係る録音装置は、放送音声には該放送音声に含まれる楽曲を識別するための識別情報が重畳されており、前記放送音声から前記識別情報を抽出する情報抽出手段を備え、前記抽出手段は、前記識別情報に基づいて印象度が一致すると判定した楽曲を抽出するようにしてあることを特徴とする。
【００１７】
本発明にあっては、放送音声に重畳された該放送音声に含まれる楽曲を識別するための識別情報を抽出する。そして、抽出した識別情報に基づいて印象度が一致すると判定した楽曲を抽出する。つまり、識別情報を参照することで、楽曲単位での抽出が可能である。例えば、楽曲の印象度が一定でなく、途中で印象度が変化する場合が考えられるが、このような場合であっても、確実に楽曲単位で抽出することができる。
【００１８】
本発明に係る録音装置は、前記抽出手段は、印象度が一致すると判定した時点から、印象度が一致しないと判定する時点までの放送音声を楽曲として抽出するようにしてあることを特徴とする。
【００１９】
本発明にあっては、印象度が一致すると判定した時点から、印象度が一致しないと判定する時点までの放送音声を楽曲として抽出する。これにより、一つの楽曲でも印象度が一致する部分のみを抽出することができる。例えば、楽曲の印象度が一定でなく、途中で印象度が変化する場合が考えられるが、このような場合、楽曲のすべてを抽出するのではなく、印象度が一致する部分のみを抽出することができる。
【００２０】
本発明に係る録音装置は、前記抽出手段は、印象度が一致すると判定した時点から、所定時間が経過した時点までの放送音声を楽曲として抽出するようにしてあることを特徴とする。
【００２１】
本発明にあっては、印象度が一致すると判定した時点から、所定時間が経過した時点までの放送音声を楽曲として抽出する。放送には、楽曲のみならずＤＪ区間が含まれていることから、次の楽曲が放送される時刻まで記録する必要なく、楽曲の時間を予め指定しておくことで、ＤＪ区間の記録を回避することができる。
【００２２】
本発明に係る録音装置は、前記抽出手段は、印象度が一致すると判定した時点から、所定時間経過後に無音状態が一定時間継続した時点までの放送音声を楽曲として抽出するようにしてあることを特徴とする。
【００２３】
本発明にあっては、印象度が一致すると判定した時点から、所定時間経過後に無音状態が一定時間継続した時点までの放送音声を楽曲として抽出する。無音状態が一定時間以上継続した場合、楽曲が終了したと判断することができるので、不要な放送音声の記録を回避することができる。
【発明の効果】
【００２４】
本発明によれば、楽曲を含む放送音声を受信し、受信した放送音声を記録部に仮記録しておき、放送音声に含まれる楽曲の印象度を分析するとともに、印象度を受け付け、分析した印象度が、受け付けた印象度と一致するか否かを判定し、両方の印象度が一致すると判定された場合、記録部に仮記録した放送音声から対応する楽曲を抽出し、抽出した楽曲を記録部に本記録する構成としたので、利用者が意識することなく、自動的に所望の楽曲（利用者が指定した印象と一致する楽曲）を簡単かつ確実に記録することができる。
【００２５】
本発明によれば、仮記録より先に記録されている楽曲の印象度を分析し、分析した印象度に基づいて、抽出する楽曲の印象度を決定する構成としたので、利用者の好みの楽曲を簡単かつ確実に記録することができる。つまり、仮記録より先に記録されているのは利用者の好みの楽曲であると推定されることから、利用者は記録したい楽曲の印象度を指定するまでもない。
【００２６】
本発明によれば、楽曲を含む放送音声を受信し、受信した放送音声を記録部に仮記録しておき、仮記録した放送音声に含まれる楽曲の印象度と、記録部に仮記録より先に記録されている楽曲の印象度とを分析し、分析した両方の印象度が一致するか否かを判定し、両方の印象度が一致すると判定された場合、仮記録した放送音声から対応する楽曲を抽出し、抽出した楽曲を記録部に本記録する構成としたので、利用者が意識することなく、自動的に所望の楽曲（内部に格納されている楽曲の印象と一致する楽曲）を簡単かつ確実に記録することができる。
【００２７】
本発明によれば、仮記録した放送音声に対して所定時間毎に印象度を分析する構成としたので、印象度のみによって、放送された音声から所望の楽曲を抽出して記録することができる。
【００２８】
本発明によれば、楽曲が放送された時刻が楽曲を識別するための識別情報を通信網から取得し、取得した識別情報に基づいて印象度が一致すると判定した時刻に放送された楽曲を抽出する構成としたので、例えば、楽曲の印象度が一定でなく、途中で印象度が変化する場合であっても、確実に楽曲単位で抽出することができる。
【００２９】
本発明によれば、放送音声に重畳された該放送音声に含まれる楽曲を識別するための識別情報を抽出し、抽出した識別情報に基づいて印象度が一致すると判定した楽曲を抽出する構成としたので、例えば、楽曲の印象度が一定でなく、途中で印象度が変化する場合であっても、確実に楽曲単位で抽出することができる。
【００３０】
本発明によれば、印象度が一致すると判定した時点から、印象度が一致しないと判定する時点までの放送音声を楽曲として抽出する構成としたので、一つの楽曲でも印象度が一致する部分のみを抽出することができる。例えば、楽曲の印象度が一定でなく、途中で印象度が変化する場合が考えられるが、このような場合、楽曲のすべてを抽出するのではなく、印象度が一致する部分のみを抽出することができる。
【００３１】
本発明によれば、印象度が一致すると判定した時点から、所定時間が経過した時点までの放送音声を楽曲として抽出する構成としたので、不要な音声の記録を回避することができる。例えば、放送には、楽曲のみならずＤＪ区間が含まれていることから、次の楽曲が放送される時刻まで記録する必要なく、楽曲の時間を予め指定しておくことで不要な音声の記録を回避することができる。
【００３２】
本発明によれば、印象度が一致すると判定した時点から、所定時間経過後に無音状態が一定時間継続した時点までの放送音声を楽曲として抽出する構成としたので、無音状態が一定時間以上継続した場合に、楽曲が終了したと判断して不要な音声の記録を回避することができる等、優れた効果を奏する。
【発明を実施するための最良の形態】
【００３３】
以下、本発明をその実施の形態を示す図面に基づいて詳述する。
【００３４】
図１は本発明に係る録音装置の構成を示すブロック図である。
本発明に係る録音装置は、ＣＰＵで構成された制御部１０を備えている。制御部１０はチューナ部１１，記録部１２，通信部１３，操作部１４，印象分析部１５，判定部１６などと接続され、これら各部を制御して、内蔵するＲＯＭに格納された制御プログラムに従って種々の機能を実行する。
【００３５】
チューナ部１１は、例えば放送中継基地５０の方向に向けて配置されたアンテナ５１に接続されており、放送中継基地から送信された音声信号のうちの特定周波数帯域（放送局）の音声信号を選択して復調する機能を有する。
【００３６】
記録部１２は、例えばハードディスクであり、仮記録部１２ａ及び本記録部１２ｂの２つ領域から構成される。制御部１０は、チューナ部１１にて復調された音声信号を仮記録部１２ａに常時記録するように指示する。つまり、利用者が記録を行おうとする楽曲のみならず復調された音声信号をすべて仮記録部１２ａに常時記録しておく。なお、本例では、音声信号を記録する場合に、その音声信号が放送された時刻に関連付けて記録する形態としておく。つまり、第１時刻と第２時刻とを受け付けることによって、音声信号から、第１時刻と第２時刻との間に放送された音声信号を抽出することができるようにしておく。
【００３７】
通信部１３は、インターネットのような通信ネットワーク６１に接続して、放送局サイト６０との間で放送された楽曲の楽曲情報を取得する。楽曲情報は、図２に示すように、放送の時刻、楽曲のタイトル名及びアーティスト名が関連付けた状態で放送局サイト６０のホームページで公開されており、通信部１３は放送局サイト６０の楽曲情報を取得する。
【００３８】
操作部１４は、録音装置を操作するために必要な各種のキーを備え、利用者からの印象度指定、放送局指定を受け付ける印象度指定部１４ａ、放送局指定部１４ｂを備えている。本例では楽曲のテンポに基づいて楽曲の印象度を求める。
【００３９】
印象分析部１５は、音声信号の特徴を抽出して特徴量に変換するための特徴抽出部１５ａと、特徴量に基づいて楽曲の印象度を判断するための印象判断部１５ｂとを備えている。
【００４０】
特徴抽出部１５ａは、ゆらぎ情報抽出部及びテンポ算出部から構成され、ゆらぎ情報抽出部は、音声信号の各周波数帯域におけるパワーの時系列情報をＦＦＴ解析してゆらぎ情報を抽出し、テンポ算出部は、ゆらぎ情報抽出部によって抽出されたゆらぎ情報のうちの低域に関するゆらぎ情報に基づいて楽曲のテンポを算出する。この楽曲のテンポが楽曲の印象を特徴付ける特徴量として作用する。もちろん、楽曲の印象度を決定する要素は楽曲のテンポに限定されるものではない。
【００４１】
印象判断部１５ｂは、特徴抽出部１５ａによって抽出された特徴量と、楽曲の印象度との関係を学習し、また多次元情報を２次元に可視化するものであり、ニューラルネットワークの一種である階層型ネットワーク及び自己組織化マップからなる。
【００４２】
階層型ネットワークは、予め用意した楽曲のサンプルに対して人間が印象度の判断を行い、その結果と特徴抽出部によって抽出された特徴量との関係を学習する非線形ネットワークである。階層型ネットワークを用いることで追加学習が比較的容易に行うことができる。
【００４３】
自己組織化マップは、階層型ネットワークによって判断された印象度（４次元情報）に基づいて、多数の楽曲を自動的（自立的）に分類、配置するニューラルネットワークである。ここでは、印象度を数値（例えば１〜５）に置き換え、印象指定部１４ａにて受け付けた印象と一致する楽曲が存在するか否かを判定するために利用する。なお、階層型ネットワーク及び自己組織化マップはそれ自体公知の技術であることからその詳細な説明を省略する。
【００４４】
判定部１６は、印象分析部１５にて分析された楽曲の印象度が、印象指定部１４ａにて受け付けた印象度と一致するか否かを判定する。
【００４５】
制御部１０は、判定部１６にて、印象分析部１５にて分析された楽曲の印象度と印象指定部１４ａにて受け付けた印象度とが一致すると判定した場合、この楽曲が放送された時刻と次の楽曲が放送された時刻とを、放送局サイト６０のホームページで公開されている楽曲情報から抽出する。そして、制御部１０は、前者の時刻が楽曲の放送開始時刻、後者の時刻が楽曲の放送終了時刻であると判断し、仮記録部１２ａに記録された音声信号から放送開始時刻と放送終了時刻との間に放送された音声信号を抽出して本記録部１２ｂに記録する。抽出した音声信号を本記録部１２ｂに記録する場合、その音声信号に係る楽曲情報を関連付けて記録する形態としておく。
【００４６】
次に、特徴抽出部１５ａの機能について説明する。図３及び図４は特徴抽出部の動作を説明するための説明図である。なお、動作の手順は、図３（ａ）→図３（ｂ）→図４（ｃ）→図４（ｄ）のようになる。
特徴抽出部１５ａは、音声信号の時間波形（図３（ａ））を離散的サンプリングしたデータをＦＦＴ解析してスペクトル波形（図３（ｂ））に変換する。サンプリング数（データ数）を２n にすることにより計算（乗算）回数が少なくて済むことから、本例では、データ数を１０２４個として、乗算回数を１０２４０回に短縮している。このようなＦＦＴ解析は市販のスペクトルアナライザを用いることで可能である。
【００４７】
また、変換したスペクトル波形のうちの低周波数帯域（０以上〜２００Ｈｚ未満）、低周波数帯域（２００以上〜６００Ｈｚ未満）及び高周波数帯域（６００以上〜１１０２５Ｈｚ未満）におけるパワーを積分して平均パワーを算出する。このような処理を一定フレーム長毎に行うことによって、低周波数帯域、中周波数帯域及び高周波数帯域の平均パワーの時系列データを得る（図４（ｃ））。そして、低周波数帯域、中周波数帯域及び高周波数帯域の平均パワーの時系列データに対してＦＦＴ解析を行う（図４（ｄ））。
【００４８】
さらに、周波数及びパワースペクトルに対してそれぞれ対数化し、対数周波数をＸ、対数パワースペクトルをＹとして、それ自体公知の最小２乗法を用いて近似直線Ｙ＝αＸ＋βとしてのα、βを算出する。つまり、対数周波数を横軸、対数パワースペクトルを縦軸とする直交座標系における、近似直線の傾きα及び切片βを算出する。この傾きα及び切片βは、音声信号の特徴そのものであり、その特徴を定量化するものである。
【００４９】
次に、本発明に係る録音装置が行う動作をフローチャートを用いて説明する。図５、図６及び図７は本発明に係る録音装置が行う処理手順を示すフローチャートである。なお、処理手順は一例でありこれに限るものではない。また、このような処理手順は、制御部１０に内蔵されるＲＯＭへ予め制御プログラムを組み込んでおくことにより行うことができる。
【００５０】
本発明に係る録音装置は、仮記録処理と本記録処理との２つの記録処理を行うようになっている。仮記録処理では、音声信号を記録する放送局の指定を放送局指定部１４ｂにおいて受け付け（ステップＳ１）、チューナ部１１はＳ１にて受け付けた放送局から放送された音声信号を復調し（ステップＳ２）、復調した音声信号を仮記録部１２ａに仮記録する（ステップＳ３）。この仮記録は、利用者が記録を行おうとする楽曲のみならず復調された音声信号のすべてを対象として常時記録する。なお、以下、音声信号は４４．１ｋＨｚでサンプリングされるものとして説明する。
【００５１】
本記録処理では、先ず、音声信号を記録する場合の印象度の指定を印象度指定部１４ａにおいて受け付ける（ステップＳ１１）。印象度の指定は、ここでは数値（例えば１〜５）を入力することにより行われる。
【００５２】
次に、通信部１３の機能によって放送局サイト６０との間で放送された楽曲の楽曲情報を取得する（ステップＳ１２）。楽曲情報には、楽曲の放送時刻、楽曲のタイトル名及びアーティスト名が関連付けた状態で公開されているので、放送時刻を参照して、仮記録部１２ａに仮記録しておいた音声信号を読み出し（ステップＳ１３）、４４．１ｋＨｚの１／２の２２．０５ｋＨｚで音声信号をダウンサンプリングする（ステップＳ１４）。そして、音声信号のパワーの時系列情報を印象分析開始点（最初は例えば楽曲の先頭から３０秒後）から一定フレーム長毎にＦＦＴ解析を行う（ステップＳ１５）。これにより、変換したスペクトル波形を得ることができる。
【００５３】
そして、変換したスペクトル波形のうちの低周波数帯域、中周波数帯域及び高周波数帯域のパワースペクトルを積分して平均パワーを算出する（ステップＳ１６）。そして、フレーム数が設定数未満であるか否かを判定し（ステップＳ１７）、設定数未満である場合には（Ｓ１７：ＹＥＳ）、印象分析開始点をシフトし（ステップＳ１８）、Ｓ１５に移行してシフトした印象分析開始点からＦＦＴ解析を行う。このような処理を繰り返すことで、フレーム数を設定数にすることができる。フレーム数が設定数となった場合、すなわち設定数未満でない場合（Ｓ１７：ＮＯ）、低周波数帯域、中周波数帯域及び高周波数帯域における平均パワーの時系列データに対してＦＦＴ解析を行ってゆらぎ情報を取得する（ステップＳ１９）。
【００５４】
Ｓ１９によって取得したゆらぎ情報である周波数及びパワースペクトルをそれぞれ対数化し（ステップＳ２０）、対数周波数をＸ、対数パワースペクトルをＹとして、最小２乗法を用いて近似直線Ｙ＝αＸ＋βとしてのα、βを算出する（ステップＳ２１）。つまり、対数周波数を横軸、対数パワースペクトルを縦軸とする直交座標系における、近似直線の傾きα及び切片βを算出する。なお、本例では、スペクトル波形のうちの低周波数帯域のものを楽曲の印象を特徴付けるものとして用いる。
【００５５】
次に、Ｓ２１にて算出した傾きα及び切片βによって特定される近似直線と、Ｓ１９にて取得したゆらぎ情報の各成分との差分値を算出し（ステップＳ２２）、算出した差分値に基づいて楽曲のテンポを算出する（ステップＳ２３：テンポ算出処理）。そして、楽曲のテンポを、図８に示すテーブルを参照して楽曲の印象度に変換する（ステップＳ２４）。より具体的には、テンポが０．３ｓ未満（〜３．０ｓと表す）である場合は印象度１（激しい印象）、テンポが０．３ｓ以上〜１．０ｓ未満（０．３ｓ〜１．０ｓと表す）である場合は印象度２（明るい印象）、テンポが１．０ｓ以上〜３．０ｓ未満（１．０ｓ〜３．０ｓと表す）である場合は印象度３（穏やかな印象）、テンポが３．０ｓ以上〜５．０ｓ未満（３．０ｓ〜５．０ｓと表す）である場合は印象度４（静かな印象）、テンポが５．０ｓ以上（５．０ｓ〜と表す）である場合は印象度５（スローな印象）、にそれぞれ変換する。もちろん、利用者がテーブルのパラメータを適宜変更できるようにしてもよく、楽曲のテンポと印象度との関係は、これに限定されるものではない。
【００５６】
そして、楽曲の印象度と、印象度指定部１４ａにおいて受け付けた印象度とを比較して、楽曲の印象度と受け付けた印象度とが同一であるか否かを判定する（ステップＳ２５）。印象度が同一であると判定された場合（Ｓ２５：ＹＥＳ）、利用者が記録したい楽曲であると判断し、仮記録部１２ａに記録されている音声信号から、楽曲情報に基づいて放送された時間（その楽曲の放送時刻と次の楽曲の放送時刻との間の時間）の音声信号を抽出し（ステップＳ２６）、抽出した音声信号を本記録部１２ｂに記録する（ステップＳ２７）。
【００５７】
次に、仮記録部１２ａに記録されている音声信号を消去してよいか否かを受け付け（ステップＳ２８）、消去してよいと利用者から受け付けた場合（Ｓ２８：ＹＥＳ）、仮記録部１２ａに記録した音声信号を消去する（ステップＳ２９）。また、Ｓ２５にて、楽曲の印象度と受け付けた印象度とが同一でないと判定された場合（Ｓ２５：ＮＯ）、Ｓ２８へ移行して音声信号の消去の判断を行うようにする。仮記録部１２ａには放送局から放送された音声信号を常時記録しているので、記録容量が徐々に減少してしまう。そこで、記録したい楽曲を本記録した後に、仮記録部１２ａに記録した音声信号を消去することで、記録容量がなくなってしまうことを防止する。
【００５８】
次に、Ｓ２３の楽曲のテンポを算出するテンポ算出処理の処理手順について説明する。図９及び図１０はテンポ算出処理の処理手順を示すフローチャートである。
近似直線とゆらぎ情報のうちの周期０．３ｓ〜２ｓの各成分との差分値のうち、１．２５以上の成分が存在するか否かを判定する（ステップＳ３１）。Ｓ３１にて成分が存在すると判定された場合（Ｓ３１：ＹＥＳ）、その成分のうちの周期が最長の成分を数値Ａとする（ステップＳ３２）。そして、数値Ａが１ｓ以上であるか否かを判定し（ステップＳ３３）、数値Ａが１ｓ以上であると判定した場合（Ｓ３３：ＹＥＳ）は、数値Ａ／２を楽曲のテンポとする（ステップＳ３４）。一方、数値Ａが１ｓ未満であると判定した場合（Ｓ３３：ＮＯ）は、数値Ａを楽曲のテンポとする（ステップＳ３５）。
【００５９】
Ｓ３１にて成分が存在しないと判定した場合（Ｓ３１：ＮＯ）、近似直線とゆらぎ情報のうちの周期０．３ｓ〜２ｓの各成分との差分値のうち、０．６以上の成分が存在するか否かを判定する（ステップＳ３６）。Ｓ３６にて成分が存在すると判定された場合（Ｓ３６：ＹＥＳ）、その成分のうちの周期が最長の成分を数値Ｂとする（ステップＳ３７）。そして、数値Ｂが１ｓ以上であるか否かを判定し（ステップＳ３８）、数値Ｂが１ｓ以上であると判定した場合（Ｓ３８：ＹＥＳ）は、数値Ｂ／２を楽曲のテンポとする（ステップＳ３９）。一方、数値Ｂが１ｓ未満であると判定した場合（Ｓ３８：ＮＯ）は、数値Ｂが０．６ｓ以上であるか否かを判定する（ステップＳ４０）。
【００６０】
数値Ｂが０．６ｓ以上であると判定した場合（Ｓ４０：ＹＥＳ）は、近似直線とゆらぎ情報のうちの周期０．３ｓ〜２ｓの各成分との差分値のうち、０．６以上の成分が３つ以上存在するか否か、すなわち、数値Ｂ以外に０．６以上の成分が２つ以上存在するか否かを判定（ステップＳ４１）する。Ｓ４１にて０．６以上の成分が３つ以上存在すると判定した場合（Ｓ４１：ＹＥＳ）は、数値Ｂ／２を楽曲のテンポとする（ステップＳ４２）。一方、Ｓ４１にて０．６以上の成分が３つ以上存在しないと判定した場合（Ｓ４１：ＮＯ）、及び数値Ｂが０．６ｓ未満であると判定した場合（Ｓ４０：ＮＯ）は、数値Ｂを楽曲のテンポとする（ステップＳ４３）。
【００６１】
Ｓ３６にて成分が存在しないと判定した場合（Ｓ３６：ＮＯ）、近似直線とゆらぎ情報のうちの周期３ｓ〜４ｓの各成分との差分値のうち、０．６以上の成分が存在するか否かを判定する（ステップＳ４４）。Ｓ４４にて成分が存在すると判定された場合（Ｓ４４：ＹＥＳ）、その成分のうちの周期が最長の成分を数値Ｃとし（ステップＳ４５）、数値Ｃ／４を楽曲のテンポとする（ステップＳ４６）。
【００６２】
Ｓ４４にて成分が存在しないと判定した場合（Ｓ４４：ＮＯ）、近似直線とゆらぎ情報のうちの周期０．１ｓ〜０．３ｓの各成分との差分値のうち、０．７以上の成分が存在するか否かを判定する（ステップＳ４７）。Ｓ４７にて成分が存在すると判定された場合（Ｓ４７：ＹＥＳ）、０．３ｓを楽曲のテンポとする（ステップＳ４８）。一方、Ｓ４７にて成分が存在しないと判定された場合（Ｓ４７：ＮＯ）、１ｓを楽曲のテンポとする（ステップＳ４９）。このようにして、近似直線とゆらぎ情報の各成分との差分値に基づいて楽曲のテンポを定量的に算出して、このテンポから楽曲の印象度を定量化することができる。
【００６３】
次に、上述のようにして求めた楽曲のテンポの精度について評価した。まず、予め正解テンポが判明している複数（ここでは２０９種類）のテスト用の音声信号を用いて楽曲のテンポを求める。求めたテンポと正解テンポとの差分値を算出して、差分値が０．２ｓ以下である場合は正解とし、差分値が０．２ｓを越えた場合は不正解とする。２０９種類のテスト用の音声信号に対して評価を行った結果、８６．１２％の正解率を得ることができた。上述したような処理手順を行うことで、精度良くテンポを算出することができることが分かる。
【００６４】
上述したような録音装置は、仮記録処理によって指定した放送局から放送された音声信号を仮記録部１２ａに仮記録しておき、放送された音声信号にどのような楽曲が含まれているか否かを放送局サイトにて公開されている楽曲情報を取得する。そして、取得した楽曲情報を参照して楽曲が仮記録されている箇所を決定して、印象分析を行う。そして、記録したいと指定した印象度と一致するか否かを判定して、一致している場合には、仮記録部から所望の楽曲のみを抽出して本記録部に記録することによって、利用者が意識することなく、自動的に所望の音声信号を簡単かつ確実に記録することができる。つまり、利用者は、印象指定部１４ａにて記録したい音声信号の印象度を指定し、放送局指定部１４ｂにて記録対象とする放送局を指定するだけでよい。したがって、利用者は常に放送を聴いている必要はない。本記録部には利用者が指定した印象の楽曲が記録されることになるので、利用者自身の好みではない楽曲が録音されることはない。なお、仮記録部１２ａに記録する音声信号の上限時間（曲数に関連する）を指定するようにしてもよいことは勿論である。
【００６５】
なお、本実施の形態では、利用者が印象度指定部１４ａにて記録したい楽曲の印象度を指定するようにしたが、印象分析部１５が、記録部１２のうちの本記録部１２ｂに記録されている各楽曲の音声信号に対して印象分析を行い、分析した印象度の分布に基づいて、仮記録部１２ａに仮記録した音声信号から本記録部１２ｂに本記録する楽曲を指定するようにしてもよい。例えば、図１１に示すような印象度の分布が得られた場合、最も頻度の高い印象度と一致する印象度を有する楽曲に係る音声信号を自動的に記録するようにする。この場合、判定部１６は、印象分析部１５によって分析された仮記録された音声信号の印象度が、指定された印象度と一致するか否かを判定すればよい。もちろん、この場合にも、印象度指定部１４ａによって記録したい楽曲の印象度を指定できるようにしてもよい。
【００６６】
また、放送局サイト６０との間で放送された楽曲の楽曲情報を取得し、この楽曲情報に基づいて所望の楽曲に係る音声信号を抽出するようにしたが、必ずしもその必要はなく、所定時間毎に、仮記録部に記録されている音声信号に対して印象分析を行い、特定した印象度のうち印象度指定部１４ａにて受け受けられた印象度と一致する部分の音声信号を抽出するようにしてもよい。より具体的には、図１２に示すように、仮記録部に記録されている音声信号（図１２（ａ））に対して１分毎に音声信号の印象分析を行って印象度を算出する（図１２（ｂ））。そして、受け付けた印象度と一致する印象度（○で示す）の音声信号を抽出する（図１２（ｃ））。もちろん、本記録の開始位置及び終了位置については、これに限定されるものではなく、受け付けた印象度と一致する印象度（○で示す）の前後を含んだ印象度の音声信号を抽出するようにしてもよい（図１２（ｄ））。このようにすれば、インターネットのような通信ネットワークに接続する必要がなくなるとともに、印象度のみから放送された音声信号から、所望の楽曲に係る音声信号を抽出して記録することができる。
【００６７】
さらに、放送中継基地から送信される音声信号に、該音声信号に係る楽曲名及びアーティスト名などの楽曲情報が重畳されている場合、例えば、ＦＭ文字多重放送、デジタル放送などの場合には、チューナ部１１にて復調された音声信号から音声信号に重畳されている楽曲情報を抽出し、抽出した楽曲情報に基づいて、印象度が一致すると判定した楽曲を抽出するようにしてもよい。例えば、図１３に示すように、チューナ部１１にて受信した信号７０（図１３（ａ））を、楽曲情報７１（ここではタイトル名１，タイトル名２，タイトル名３，…）と、音声信号７２（ここでは音声１，音声２，音声３，…）とに分割（図１３（ｂ））することで、音声信号７２に重畳された楽曲情報７１を抽出できるので、各音声の先頭から所定時間（例えば１分）後の印象度を分析して各音声の印象度とする。そして、タイトル名１に相当する音声信号の印象度が受け付けた印象度と一致した場合には、タイトル名１に対応する楽曲７３（音声１）を抽出して本記録部１２ｂに本記録（図１３（ｃ））する。
【００６８】
また、本記録の開始位置及び終了位置については、これに限定されるものではなく、図１４に示すように、チューナ部１１にて受信した信号７０（図１４（ａ））を、楽曲情報７１（ここではタイトル名１，タイトル名２，タイトル名３，…）と、音声信号７２（ここでは音声１，音声２，音声３，…）とに分割（図１４（ｂ））することで、音声信号７２に重畳された楽曲情報７１を抽出し、印象度が一致すると判定した場合に、その時点から、所定時間（ここでは５分）が経過した時点までの音声信号を楽曲７４として抽出し、本記録部１２ｂに本記録（図１４（ｃ））してもよい。この場合、本記録部１２ｂには、音声１とは若干異なる楽曲７４（音声１′）が記録されることになる。放送には、楽曲のみならずＤＪ区間が含まれていることから、次の楽曲（タイトル名２）が放送される時刻まで記録する必要なく、楽曲の時間を予め指定しておくことで、ＤＪ区間の記録を回避することができる。
【００６９】
さらに、図１５に示すように、チューナ部１１にて受信した信号７０（図１５（ａ））を、楽曲情報７１（ここではタイトル名１，タイトル名２，タイトル名３，…）と、音声信号７２（ここでは音声１，音声２，音声３，…）とに分割（図１５（ｂ））することで、音声信号７２に重畳された楽曲情報７１を抽出し、印象度が一致すると判定した場合に、その時点から、一定時間経過後（例えば３分：１曲の最低時間長）に無音状態７６が一定時間以上（ここでは５秒間）継続した時点までの音声信号を楽曲７５として抽出し、本記録部１２ｂに本記録（図１５（ｃ））してもよい。この場合も上述と同様に、本記録部１２ｂには、音声１とは若干異なる楽曲７５（音声１″）が記録されることになる。無音状態が一定時間以上継続した場合、楽曲が終了したと判断することができ、不要な音声信号の記録を回避することができる。
【図面の簡単な説明】
【００７０】
【図１】本発明に係る録音装置の構成を示すブロック図である。
【図２】楽曲情報の一例を示すテーブル図である。
【図３】特徴抽出部の動作を説明するための説明図である。
【図４】特徴抽出部の動作を説明するための説明図である。
【図５】本発明に係る録音装置が行う処理手順を示すフローチャートである。
【図６】本発明に係る録音装置が行う処理手順を示すフローチャートである。
【図７】本発明に係る録音装置が行う処理手順を示すフローチャートである。
【図８】楽曲のテンポと印象度との関係を規定したテーブル図である。
【図９】テンポ算出処理の処理手順を示すフローチャートである。
【図１０】テンポ算出処理の処理手順を示すフローチャートである。
【図１１】本記録部に記録されている音声信号の印象度分布の一例を示す分布図である。
【図１２】音声信号を抽出する他の一例を説明するための説明図である。
【図１３】音声信号を抽出する他の一例を説明するための説明図である。
【図１４】音声信号を抽出する他の一例を説明するための説明図である。
【図１５】音声信号を抽出する他の一例を説明するための説明図である。
【符号の説明】
【００７１】
１０  制御部
１１  チューナ部
１２  記録部
１２ａ  仮記録部
１２ｂ  本記録部
１３  通信部
１４  操作部
１４ａ  印象度指定部
１４ｂ  放送局指定部
１５  印象分析部
１５ａ  特徴抽出部
１５ｂ  印象判断部
１６  判定部
５０  放送中継基地
５１  アンテナ
６０  放送局サイト
６１  通信ネットワーク
【図１】
2006331554.tif 000003
【図２】
2006331554.tif 000004
【図３】
2006331554.tif 000005
【図４】
2006331554.tif 000006
【図５】
2006331554.tif 000007
【図６】
2006331554.tif 000008
【図７】
2006331554.tif 000009
【図８】
2006331554.tif 000010
【図９】
2006331554.tif 000011
【図１０】
2006331554.tif 000012
【図１１】
2006331554.tif 000013
【図１２】
2006331554.tif 000014
【図１３】
2006331554.tif 000015
【図１４】
2006331554.tif 000016
【図１５】
2006331554.tif 000017